【手続補正書】
【提出日】令和2年8月4日(2020.8.4)
【手続補正１】
【補正対象書類名】特許請求の範囲
【補正対象項目名】全文
【補正方法】変更
【補正の内容】
【特許請求の範囲】
【請求項１】
ポリマー中の酸を中和する方法であって、前記方法が、ポリマーを中和量の非晶質ケイ酸アルミニウムと接触させることを含む、方法。
【請求項２】
前記ポリマーが、ポリオレフィンであり、前記ポリオレフィンが、好ましくはプロピレン系ポリマー、エチレン系ポリマー、少なくとも１種のα−オレフィンとジエンとのコポリマー、又はそれらの混合物である、請求項１に記載の方法。
【請求項３】
前記プロピレン系ポリマーが、プロピレンホモポリマー、プロピレンコポリマー、又はそれらの混合物であり、
前記プロピレンコポリマーが、好ましくはプロピレンランダムコポリマーであるか、又は
前記プロピレンコポリマーが、好ましくはプロピレンと少なくとも１種のα−オレフィンとのコポリマーであり、前記α−オレフィンが、２〜１０個の炭素原子を有し、前記α−オレフィンが、好ましくはエチレン、１−ブテン、１−ペンテン、１−ヘキセン、１−ヘプテン、１−オクテン、１−ノネン、１−デセン、及び４−メチル−１−ペンテンからなる群から選択される少なくとも１種であるか、
又は
前記プロピレンコポリマーが、ヘテロ相プロピレンポリマーであり、前記ヘテロ相プロピレンポリマーが、マトリックス相及び少なくとも１つの分散相を含み、前記ヘテロ相プロピレンポリマーの前記マトリックス相が、好ましくはプロピレンホモポリマー若しくはプロピレンコポリマーを含む、請求項２に記載の方法。
【請求項４】
前記エチレン系ポリマーが、エチレンホモポリマー、エチレンコポリマー、又はそれらの混合物であり、
前記エチレンコポリマーが、好ましくはエチレンと少なくとも１種のα−オレフィンとのコポリマーであり、前記α−オレフィンが、３〜１０個の炭素原子を有し、前記α−オレフィンが、好ましくはプロピレン、１−ブテン、１−ペンテン、１−ヘキセン、１−ヘプテン、１−オクテン、１−ノネン、１−デセン、及び４−メチル−１−ペンテンからなる群から選択される少なくとも１種であるか、
又は
前記エチレン系ポリマーが、ＨＤＰＥ若しくはＬＬＤＰＥである、請求項２に記載の方法。
【請求項５】
前記ポリオレフィンが、少なくとも１種のα−オレフィンとジエンとの前記コポリマーであり、前記α−オレフィンが、２０個以下の炭素原子を有する、請求項２に記載の方法。
【請求項６】
前記非晶質ケイ酸アルミニウムが、アルカリ金属／アルカリ土類金属ケイ酸アルミニウムであり、
前記アルカリ金属／アルカリ土類金属ケイ酸アルミニウムが、
ａ）好ましくはリチウム、ナトリウム、カリウム、ルビジウム、セシウム、及びそれらの混合物からなる群から選択される、少なくとも１種のアルカリ金属を含有するか、
又は
ｂ）好ましくはベリリウム、マグネシウム、カルシウム、ストロンチウム、バリウム、ラジウム、及びそれらの混合物からなる群から選択される、少なくとも１種のアルカリ土類金属を含有するか、
又は
ｃ）好ましくは非晶質ケイ酸アルミニウムナトリウムマグネシウムであり、前記非晶質ケイ酸アルミニウムナトリウムマグネシウムが、好ましくは合計非晶質ケイ酸アルミニウムナトリウムマグネシウムの０．５重量％〜約１０重量％の量の酸化マグネシウムを含む、請求項１に記載の方法。
【請求項７】
前記非晶質ケイ酸アルミニウムナトリウムマグネシウムが、約０．５μｍ〜約１０．０μｍの範囲の平均粒径を有するか、又は前記非晶質ケイ酸アルミニウムナトリウムマグネシウムが、７〜１２の範囲のｐＨを有する、請求項１又は６ｃに記載の方法。
【請求項８】
前記ポリマー中の前記非晶質ケイ酸アルミニウムの量が、前記ポリマーの６未満の腐食性指数を提供するのに十分な量であるか、又は前記ポリマー中の前記非晶質ケイ酸アルミニウムの量が、前記ポリマーの約０．００５重量％〜約２．０重量％の範囲である、請求項１又は６に記載の方法。
【請求項９】
前記ポリマー中の前記非晶質ケイ酸アルミニウムの量が、前記ポリマーの約０．０１０重量％〜約１．０重量％、好ましくは前記ポリマーの約０．０１５重量％〜約０．８重量％の範囲である、請求項６に記載の方法。
【請求項１０】
前記非晶質アルカリケイ酸アルミニウムの屈折率が、前記ポリマーの屈折率と実質的に同じである、請求項６に記載の方法。
【請求項１１】
酸性不純物を含有するポリマーの腐食性を低減するプロセスであって、前記プロセスが、
前記ポリマーに、酸中和量の非晶質ケイ酸アルミニウムを組み込んで、６未満の腐食性指数を有するポリマー組成物を得ることを含む、プロセス。
【請求項１２】
前記ポリマーが、ポリオレフィンであり、前記ポリオレフィンが、好ましくはプロピレン系ポリマー、エチレン系ポリマー、少なくとも１種のα−オレフィンとジエンとのコポリマー、又はそれらの混合物である、請求項１１に記載のプロセス。
【請求項１３】
前記プロピレン系ポリマーが、プロピレンホモポリマー、プロピレンコポリマー、又はそれらの混合物であり、
前記プロピレンコポリマーが、好ましくはプロピレンランダムコポリマーであるか、又は
前記プロピレンコポリマーが、プロピレンと少なくとも１種のα−オレフィンとのコポリマーであり、前記α−オレフィンが、２〜１０個の炭素原子を有し、前記α−オレフィンが、好ましくはエチレン、１−ブテン、１−ペンテン、１−ヘキセン、１−ヘプテン、１−オクテン、１−ノネン、１−デセン、及び４−メチル−１−ペンテンからなる群から選択される少なくとも１種であるか、
又は
前記プロピレンコポリマーが、ヘテロ相プロピレンポリマーであり、前記ヘテロ相プロピレンポリマーが、マトリックス相及び少なくとも１つの分散相を含み、前記ヘテロ相プロピレンポリマーの前記マトリックス相が、好ましくはプロピレンホモポリマー若しくはプロピレンコポリマーを含む、請求項１２に記載のプロセス。
【請求項１４】
前記エチレン系ポリマーが、エチレンホモポリマー、エチレンコポリマー、又はそれらの混合物であり、
前記エチレンコポリマーが、好ましくはエチレンと少なくとも１種のα−オレフィンとのコポリマーであり、前記α−オレフィンが、３〜１０個の炭素原子を有し、前記α−オレフィンが、好ましくはプロピレン、１−ブテン、１−ペンテン、１−ヘキセン、１−ヘプテン、１−オクテン、１−ノネン、１−デセン、及び４−メチル−１−ペンテンからなる群から選択される少なくとも１種であるか、
又は
前記エチレン系ポリマーが、ＨＤＰＥ若しくはＬＬＤＰＥである、請求項１２に記載のプロセス。
【請求項１５】
前記ポリオレフィンが、少なくとも１種のα−オレフィンとジエンとの前記コポリマーであり、前記α−オレフィンが、２０個以下の炭素原子を有する、請求項１２に記載のプロセス。
【請求項１６】
前記非晶質ケイ酸アルミニウムが、アルカリ金属／アルカリ土類金属ケイ酸アルミニウムであり、
前記アルカリ金属／アルカリ土類金属ケイ酸アルミニウムが、
ａ）好ましくはリチウム、ナトリウム、カリウム、ルビジウム、セシウム、及びそれらの混合物からなる群から選択される、少なくとも１種のアルカリ金属を含有するか、
又は
ｂ）好ましくはベリリウム、マグネシウム、カルシウム、ストロンチウム、バリウム、ラジウム、及びそれらの混合物からなる群から選択される、少なくとも１種のアルカリ土類金属を含有するか、
又は
ｃ）好ましくは非晶質ケイ酸アルミニウムナトリウムマグネシウムであり、前記非晶質ケイ酸アルミニウムナトリウムマグネシウムが、好ましくは合計非晶質ケイ酸アルミニウムナトリウムマグネシウムの０．５重量％〜約１０重量％の量の酸化マグネシウムを含む、請求項１１に記載のプロセス。
【請求項１７】
前記非晶質ケイ酸アルミニウムが、約０．５μｍ〜約１０．０μｍの範囲の平均粒径を有するか、又は前記非晶質ケイ酸アルミニウムナトリウムマグネシウムが、７〜１２の範囲のｐＨを有する、請求項１１又は１６ｃに記載のプロセス。
【請求項１８】
前記ポリマー中の前記非晶質ケイ酸アルミニウムの量が、前記ポリマーの１未満の腐食性指数を提供するのに十分な量であるか、又は前記ポリマー中の前記非晶質アルカリ金属／アルカリ土類金属ケイ酸アルミニウムの量が、前記ポリマーの約０．００５重量％〜約２．０重量％の範囲であるか、又は前記ポリマー中の前記非晶質アルカリ金属／アルカリ土類金属ケイ酸アルミニウムの量が、前記ポリマーの約０．０１０重量％〜約１．０重量％の範囲であるか、又は前記ポリマー中の前記非晶質アルカリ金属／アルカリ土類金属ケイ酸アルミニウムの量が、前記ポリマーの約０．０１５重量％〜約０．５重量％の範囲であるか、又は前記非晶質アルカリ金属／アルカリ土類金属ケイ酸アルミニウムの屈折率が、前記ポリマーの屈折率と実質的に同じである、請求項１６に記載のプロセス。
【請求項１９】
前記ポリマー組成物の透明度が、約１ｍｍの厚さを有するＩＭプラークで測定すると、少なくとも約６０％である、請求項１１に記載のプロセス。
【請求項２０】
酸性不純物を含むポリマーと、酸中和量の非晶質ケイ酸アルミニウムとを含む、腐食性の低減されたポリマー組成物。
【請求項２１】
前記ポリマーが、ポリオレフィンであり、前記ポリオレフィンが、好ましくはプロピレン系ポリマー、エチレン系ポリマー、少なくとも１種のα−オレフィンとジエンとのコポリマー、又はそれらの混合物である、請求項２０に記載のポリマー組成物。
【請求項２２】
前記プロピレン系ポリマーが、プロピレンホモポリマー、プロピレンコポリマー、又はそれらの混合物であり、
前記プロピレンコポリマーが、好ましくはプロピレンランダムコポリマーであるか、又は
前記プロピレンコポリマーが、好ましくはプロピレンと少なくとも１種のα−オレフィンとのコポリマーであり、前記α−オレフィンが、２〜１０個の炭素原子を有し、前記α−オレフィンが、エチレン、１−ブテン、１−ペンテン、１−ヘキセン、１−ヘプテン、１−オクテン、１−ノネン、１−デセン、及び４−メチル−１−ペンテンからなる群から選択される少なくとも１種であるか、
又は
前記プロピレンコポリマーが、ヘテロ相プロピレンポリマーであり、前記ヘテロ相プロピレンポリマーが、マトリックス相及び少なくとも１つの分散相を含み、前記ヘテロ相プロピレンポリマーの前記マトリックス相が、好ましくはプロピレンホモポリマー若しくはプロピレンコポリマーを含む、請求項２１に記載のポリマー組成物。
【請求項２３】
前記エチレン系ポリマーが、エチレンホモポリマー、エチレンコポリマー、又はそれらの混合物であり、
前記エチレンコポリマーが、好ましくはエチレンと少なくとも１種のα−オレフィンとのコポリマーであり、前記α−オレフィンが、３〜１０個の炭素原子を有し、前記α−オレフィンが、好ましくはプロピレン、１−ブテン、１−ペンテン、１−ヘキセン、１−ヘプテン、１−オクテン、１−ノネン、１−デセン、及び４−メチル−１−ペンテンからなる群から選択される少なくとも１種であるか、
又は
前記エチレン系ポリマーが、ＨＤＰＥ若しくはＬＬＤＰＥである、請求項２１に記載のポリマー組成物。
【請求項２４】
前記ポリオレフィンが、少なくとも１種のα−オレフィンとジエンとの前記コポリマーであり、前記α−オレフィンが、２０個以下の炭素原子を有する、請求項２１に記載のポリマー組成物。
【請求項２５】
前記非晶質ケイ酸アルミニウムが、アルカリ金属／アルカリ土類金属ケイ酸アルミニウムであり、
前記アルカリ金属／アルカリ土類金属ケイ酸アルミニウムが、
ａ）好ましくはリチウム、ナトリウム、カリウム、ルビジウム、セシウム、及びそれらの混合物からなる群から選択される、少なくとも１種のアルカリ金属を含有するか、
又は
ｂ）好ましくはベリリウム、マグネシウム、カルシウム、ストロンチウム、バリウム、ラジウム、及びそれらの混合物からなる群から選択される、少なくとも１種のアルカリ土類金属を含有するか、
又は
ｃ）好ましくは、非晶質ケイ酸アルミニウムナトリウムマグネシウムである、請求項２０に記載のポリマー組成物。
【請求項２６】
前記非晶質ケイ酸アルミニウムが、約０．５μｍ〜約１０．０μｍの範囲の平均粒径を有するか、又は前記非晶質ケイ酸アルミニウムが、７〜１２の範囲のｐＨを有する、請求項２０又は２５ｃに記載のポリマー組成物。
【請求項２７】
前記ポリマー中の前記非晶質ケイ酸アルミニウムの量が、前記ポリマーの腐食性指数を６未満に低減するのに十分な量であるか、又は前記ポリマー中の前記非晶質ケイ酸アルミニウムの量が、前記ポリマーの約０．００５重量％〜約２．０重量％、好ましくは前記ポリマーの約０．０１０重量％〜約１．０重量％、より好ましくは前記ポリマーの約０．０１５重量％〜約０．５重量％の範囲である、請求項２０又は２５に記載のポリマー組成物。
【請求項２８】
前記非晶質アルカリ金属／アルカリ土類金属ケイ酸アルミニウムの屈折率が、前記ポリマーの屈折率と実質的に同じである、請求項２５に記載のポリマー組成物。
【請求項２９】
前記ポリマー組成物の透明度が、約１ｍｍの厚さを有するＩＭプラークで測定すると、少なくとも約６０％である、請求項２５ｃに記載のポリマー組成物。
【請求項３０】
請求項２０に記載のポリマー組成物から作製された物品であって、前記物品が、好ましくは繊維、成形物品、押出成形形材、シート、ボード、接着剤、発泡体、ワイヤコーティング、又は他の加工部品からなる群から選択される少なくとも１つであり、前記物品が、より好ましくはフィルム、又はシート、又は繊維、又は成形物品であり、前記物品が、最も好ましくはフィルムである、物品。